(57)【要約】      （修正有）【課題】シートの後端を規制する後端規制板を精度良く位置決めするシート支持装置及び画像形成装置を提供する。【解決手段】シートが支持される引き出しユニット１０３と、シートの幅方向における端部の位置を規制する前サイド規制板１１及び後サイド規制板１２と、シートの後端の位置を規制する後端規制板１３と、これら前サイド規制板１１、後サイド規制板１２及び後端規制板１３を連動させる連動ユニットと、を備える。後端規制板１３は、第１のサイズのシートの下流端の位置を規制する第１位置と、第１のサイズのシートよりシート給送方向における長さが長い第２のサイズのシートの下流端の位置を規制する第２位置と、に移動可能である。後端規制板１３に当接可能に配置され、第２位置に位置する後端規制板１３の移動を規制する位置決め部を備える。【選択図】図２
2018127311.tif 000002
【特許請求の範囲】
【請求項１】
シートが支持されるシート支持手段と、
前記シート支持手段に対してシート給送方向と直交する幅方向に移動可能に支持され、前記シート支持手段に支持されたシートの前記幅方向における端部の位置を規制する第１規制手段と、
前記シート支持手段に支持された第１のサイズのシートの前記シート給送方向における下流端の位置を規制する第１位置と、前記第１のサイズのシートよりも前記シート給送方向における長さが長い第２のサイズのシートの前記シート給送方向における下流端の位置を規制する第２位置と、の間で移動可能に前記シート支持手段に支持される第２規制手段と、
前記第１規制手段及び前記第２規制手段を互いに連動するように接続する連動手段と、
前記第２規制手段に当接可能に配置され、前記第２位置に位置する前記第２規制手段の前記第１位置に向かう方向とは反対の方向への移動を規制する移動規制手段と、を備える、
ことを特徴とするシート支持装置。
【請求項２】
前記第２規制手段は、上下方向に延びる回動軸を中心にして前記シート支持手段に回動可能に支持され、前記第１位置において前記第１のサイズのシートの前記下流端に対向する第１面と、前記第２位置において前記第２のサイズのシートの前記下流端に対向する第２面と、を有する、
ことを特徴とする請求項１に記載のシート支持装置。
【請求項３】
前記移動規制手段は、前記第２規制手段の前記第２面と反対側に形成される被当接面に当接可能である、
ことを特徴とする請求項２に記載のシート支持装置。
【請求項４】
前記第１面及び前記第２面は、前記上下方向から視て互いに交差するように形成される、
ことを特徴とする請求項２又は３に記載のシート支持装置。
【請求項５】
前記シート支持手段は、本体部と、前記本体部に昇降可能に支持されると共にシートが積載される積載部と、前記本体部の前記シート給送方向における下流側の側面から前記本体部の内方に突出し前記第２規制手段を回動可能に支持する支持部と、を有し、
前記移動規制手段は、前記支持部に設けられる、
ことを特徴とする請求項２乃至４のいずれか１項に記載のシート支持装置。
【請求項６】
前記移動規制手段は、前記第２規制手段の上部に当接可能に配置される、
ことを特徴とする請求項１乃至５のいずれか１項に記載のシート支持装置。
【請求項７】
前記第１規制手段は、前記第２規制手段が前記第１位置から前記第２位置に移動する際に、前記連動手段によって前記シート支持手段に支持されたシートの前記幅方向における中央に近づくように移動する、
ことを特徴とする請求項１乃至６のいずれか１項に記載のシート支持装置。
【請求項８】
前記第１規制手段は、前記幅方向における一端の位置を規制する第１規制部材と、前記幅方向における他端の位置を規制する第２規制部材と、を有し、
前記連動手段は、前記第１規制部材と前記第２規制部材とを連動させる第１連動部と、前記第１連動部に接続され前記第２規制手段を移動させる第２連動部と、を有する、
ことを特徴とする請求項１乃至７のいずれか１項に記載のシート支持装置。
【請求項９】
前記第２連動部は、ラック部を有し、
前記第２規制手段は、前記ラック部に噛合するギヤ部を有する、
ことを特徴とする請求項８に記載のシート支持装置。
【請求項１０】
前記第１連動部は、前記第１規制手段及び前記第２規制手段を前記第１のサイズのシートの位置を規制するように位置させる第１サイズ位置と、前記第１規制手段及び前記第２規制手段を前記第２のサイズのシートの位置を規制するように位置させる第２サイズ位置と、に移動可能な操作部を有する、
ことを特徴とする請求項８又は９に記載のシート支持装置。
【請求項１１】
請求項１乃至１０のいずれか１項に記載のシート支持装置と、
前記シート支持装置から給送されたシートに画像を形成する画像形成手段と、を備える、
ことを特徴とする画像形成装置。
【発明の詳細な説明】
【技術分野】
【０００１】
本発明は、シートを支持するシート支持装置及びこれを備える画像形成装置に関する。
【背景技術】
【０００２】
従来、シートの側端の位置を規制するサイド規制板と、シートの後端の位置を規制する後端規制板と、を連動させる連動機構を備えたシート収納装置が提案されている（特許文献１参照）。この連動機構は、操作レバーの操作によって移動するボード部材と、ボード部材の移動に連動してサイド規制板を押圧するアーム部材と、を有し、後端規制板は、ボード部材に係合することでボード部材の移動に連動している。
【０００３】
このため、ユーザが操作レバーを操作すると、アーム部材によってサイド規制板の規制面と反対側の面が押圧されてサイド規制板が移動し、これと同時に、後端規制板がボード部材と共に移動する。これにより、操作レバーを移動するだけで、異なるサイズのシートの側端及び後端の位置を規制することができる。
【先行技術文献】
【特許文献】
【０００４】
【特許文献１】特許第４５３２７９６号公報
【発明の概要】
【発明が解決しようとする課題】
【０００５】
しかしながら、特許文献１に記載のシート収納装置は、ユーザがシートをセットする際に、シートの後端によって後端規制板が押圧されると、後端規制板がシート給送方向に移動してしまう虞がある。また、後端規制板が移動しなかったとしても、後端規制板がシート給送方向に撓んでしまう虞があり、シートの後端を正確に位置決めすることができない場合があった。
【０００６】
そこで、本発明は、第２位置に位置する第２規制手段に当接可能な移動規制手段を設け、上述した課題を解決したシート支持手段及びこれを備えた画像形成装置を提供することを目的とする。
【課題を解決するための手段】
【０００７】
本発明は、シート支持装置において、シートが支持されるシート支持手段と、前記シート支持手段に対してシート給送方向と直交する幅方向に移動可能に支持され、前記シート支持手段に支持されたシートの前記幅方向における端部の位置を規制する第１規制手段と、前記シート支持手段に支持された第１のサイズのシートの前記シート給送方向における下流端の位置を規制する第１位置と、前記第１のサイズのシートよりも前記シート給送方向における長さが長い第２のサイズのシートの前記シート給送方向における下流端の位置を規制する第２位置と、の間で移動可能に前記シート支持手段に支持される第２規制手段と、前記第１規制手段及び前記第２規制手段を互いに連動するように接続する連動手段と、前記第２規制手段に当接可能に配置され、前記第２位置に位置する前記第２規制手段の前記第１位置に向かう方向とは反対の方向への移動を規制する移動規制手段と、を備える、ことを特徴とする。
【発明の効果】
【０００８】
本発明によると、第２位置に位置する第２規制手段に当接可能な移動規制手段を設けたので、第２規制手段に第１位置に向かう方向とは反対方向の外力が加わったとしても第２規制手段の移動が防止され、第２規制手段を精度良く位置決めすることができる。
【図面の簡単な説明】
【０００９】
【図１】本実施の形態に係るプリンタを示す全体斜視図。
【図２】引き出しユニットが引き出された状態のプリンタを示す全体斜視図。
【図３】前カバーを取り外した状態の本体部を示す斜視図。
【図４】（ａ）はＡ４サイズのシートの位置を規制する前サイド規制板、後サイド規制板及び後端規制板を示す平面図、（ｂ）はレターサイズのシートの位置を規制する前サイド規制板、後サイド規制板及び後端規制板を示す平面図。
【図５】（ａ）は切換えレバーがＡ４サイズ位置に設定される際の第１連動部の動作を示す斜視図、（ｂ）は切換えレバーがレターサイズ位置に設定される際の第１連動部の動作を示す斜視図。
【図６】（ａ）は切換えレバーがＡ４サイズ位置に設定された際の前サイド規制板及び前サイド規制スライダを示す斜視図、（ｂ）は切換えレバーがレターサイズ位置に設定された際の前サイド規制板及び前サイド規制スライダを示す斜視図。
【図７】（ａ）は、切換えレバーがＡ４サイズ位置に設定される際の第２連動部の動作を示す斜視図、（ｂ）は、切換えレバーがレターサイズ位置に設定される際の第２連動部の動作を示す斜視図。
【図８】（ａ）は、切換えレバーがＡ４サイズ位置に位置する際の各規制板を示す斜視図、（ｂ）は、切換えレバーがレターサイズ位置に位置する際の各規制板を示す斜視図。（ｃ）は互いに近づく方向へ移動する前サイド規制板及び後サイド規制板を示す斜視図。
【発明を実施するための形態】
【００１０】
＜第１の実施の形態＞
〔全体構成〕
まず、本発明の第１の実施の形態について説明する。第１の実施の形態に係る画像形成装置としてのプリンタ１００は、電子写真方式のレーザビームプリンタである。図１は、引き出しユニット１０３が装着された状態のプリンタ１００を示す全体斜視図であり、図２は、引き出しユニット１０３が引き出された状態のプリンタ１００を示す全体斜視図である。プリンタ１００は、図１及び図２に示すように、プリンタ本体１０１と、シート支持装置１０２と、を有しており、シート支持装置１０２は、筐体１０２Ａと、筐体１０２Ａに対して開閉可能に支持される引出しユニット１０３と、を有している。
【００１１】
シート支持手段としての引き出しユニット１０３には、不図示のワイヤによって昇降可能に支持されると共にシートＳが積載される積載部６１が設けられており、積載部６１に積載されたシートＳは、シート給送装置４２によりプリンタ本体１０１へ給送される。プリンタ本体１０１に給送されたシートＳは、画像形成手段としての画像形成ユニット６０によって画像が形成されて、シート排出部４１によって排出トレイ４５に排出される。なお、画像形成ユニット６０における画像形成プロセスは、公知であり、ここでは説明を省略する。また、シート支持装置１０２は、オプションとしてプリンタ本体１０１に設けられるものであり、プリンタ本体１０１のカセット１０４からシートを給送してもよい。
【００１２】
引き出しユニット１０３は、図２及び図３に示すように、本体部４４と、本体部４４の手前側に固定される前カバー４３と、を有しており、図３は、前カバー４３を取り外した状態の本体部４４を示す斜視図である。本体部４４は、前側板１、後側板２、左側板３、右側板４及び底板５によって構成されており、前側板１の装置内側に前サイド規制板１１、後側板２の装置内側に後サイド規制板１２が備えられている。また、後側板２及び左側板３の角部近傍に後端規制板１３が設けられている。前サイド規制板１１及び後サイド規制板１２は、第１規制手段を構成している。第１規制部材としての前サイド規制板１１は、シートの幅方向における一端の位置を規制し、第２規制部材としての後サイド規制板１２は、シートの幅方向における他端の位置を規制する。
【００１３】
前サイド規制板１１及び後サイド規制板１２は、シート給送方向と直交する幅方向に移動可能に本体部４４に支持されており、引き出しユニット１０３に収納されたシートＳの側端に当接可能である。第２規制手段としての後端規制板１３は、後側板２及び左側板３の角部近傍に設けられた上下方向に延びる軸中心１３ａを中心に回動可能であり、引き出しユニット１０３に収納されたシートＳの後端に当接して、シートＳの後端の位置を規制する。本体部４４のシート給送方向における下流側の側面である左側板３からは、本体部４４の内方に突出する支持部３４が設けられており、後端規制板１３は、回動軸としての軸中心１３ａを中心に支持部３４に支持されている。
【００１４】
後述する前サイド規制スライダ２１には、引き出しユニット１０３にセット可能なシートサイズを切り換える操作部としての切換えレバー３１が設けられており、切換えレバー３１は、前側板１の上部に突出している。切換えレバー３１がユーザに操作されることによって、前サイド規制板１１、後サイド規制板１２及び後端規制板１３がそれぞれ決められた位置に移動するように構成されている。
【００１５】
［Ａ４サイズ位置及びレターサイズ位置］
図４（ａ）は、第２のサイズとしてのＡ４サイズのシートの位置を規制する前サイド規制板１１、後サイド規制板１２及び後端規制板１３を示す平面図である。図４（ｂ）は、第１のサイズとしてのレターサイズのシートの位置を規制する前サイド規制板１１、後サイド規制板１２及び後端規制板１３を示す平面図である。引き出しユニット１０３にセットされるシートのサイズがＡ４サイズの際には、図４（ａ）に示すように、前サイド規制板１１と後サイド規制板１２との間隔が約２１０ｍｍに設定され、右側板４と後端規制板１３との間隔が約２９７ｍｍに設定される。これら前サイド規制板１１、後サイド規制板１２及び後端規制板１３は、切換えレバー３１がユーザによって第２サイズ位置としてのＡ４サイズ位置に設定されることで、連動手段としての連動ユニット７０を介して位置決めされる。
【００１６】
引き出しユニット１０３にセットされるシートのサイズがレターサイズの際には、図４（ｂ）に示すように、前サイド規制板１１と後サイド規制板１２との間隔が約２１６ｍｍに設定され、右側板４と後端規制板１３との間隔が約２７９．４ｍｍに設定される。これら前サイド規制板１１、後サイド規制板１２及び後端規制板１３は、切換えレバー３１がユーザによって第１サイズ位置としてのレターサイズ位置に設定されることで、連動ユニット７０を介して位置決めされる。
【００１７】
［第１連動部］
次に、図５及び図６を用いて、連動ユニット７０の一部を構成し、前サイド規制板１１及び後サイド規制板１２を連動させる第１連動部７１についての説明をする。図５（ａ）は、切換えレバー３１がＡ４サイズ位置に設定される際の第１連動部７１の動作を示す斜視図である。図５（ｂ）は、切換えレバー３１がレターサイズ位置に設定される際の第１連動部７１の動作を示す斜視図である。
【００１８】
第１連動部７１は、前側板１にスライダ軸２１ｘを中心に回転可能に支持される前サイド規制スライダ２１と、後側板２にスライダ軸２２ｘを中心に回転可能に支持される後サイド規制スライダ２２と、を有している。更に、第１連動部７１は、底板５にリンク軸３２ｘを中心に回転可能に支持されるスライダリンク３２を有している。前サイド規制スライダ２１の下部に形成された凹部２１ｅと、後サイド規制スライダ２２の下部に形成された凹部２２ｅには、スライダリンク３２の端部がそれぞれ摺動可能に係合している。このため、前サイド規制スライダ２１及び後サイド規制スライダ２２は、スライダリンク３２を介して連動するように構成されている。
【００１９】
すなわち、図５（ａ）に示すように、前サイド規制スライダ２１に取り付けられた切換えレバー３１が矢印Ａ１方向に移動すると、前サイド規制スライダ２１は矢印Ａ２方向に回転し、スライダリンク３２が矢印Ａ３方向に回転する。そして、スライダリンク３２によって後サイド規制スライダ２２が矢印Ａ４方向に回転する。また、図５（ｂ）に示すように、切換えレバー３１が矢印Ａ１方向とは反対の矢印Ｌ１方向に移動すると、前サイド規制スライダ２１は矢印Ｌ２方向に回転し、スライダリンク３２が矢印Ｌ３方向に回転する。そして、スライダリンク３２によって後サイド規制スライダ２２が矢印Ｌ４方向に回転する。
【００２０】
図６（ａ）は、切換えレバー３１がＡ４サイズ位置に設定された際の前サイド規制板１１及び前サイド規制スライダ２１を示す斜視図である。図６（ｂ）は、切換えレバー３１がレターサイズ位置に設定された際の前サイド規制板１１及び前サイド規制スライダ２１を示す斜視図である。図６（ａ）（ｂ）に示すように、前サイド規制板１１のシートに当接可能な当接面１１ａとは反対の背面１１ｂからは、リブ１ａ，１ｂ，１ｃ，１ｄが突出している。前サイド規制スライダ２１からは、前サイド規制板１１に向けてリブ２１ａ，２１ｂ，２１ｃ，２１ｄが突出している。そして、前サイド規制板１１は、バネ３５によって前サイド規制スライダ２１に近づく方向に付勢されている。
【００２１】
切換えレバー３１がＡ４サイズ位置に設定されている際には、図６（ａ）に示すように、リブ１ａ，１ｂ，１ｃ，１ｄがリブ２１ａ，２１ｂ，２１ｃ，２１ｄに突き当たっている。そして、図６（ｂ）に示すように、前サイド規制スライダ２１がＬ２方向に回転すると、リブ１ａ，１ｂ，１ｃ，１ｄ及びリブ２１ａ，２１ｂ，２１ｃ，２１ｄの各突き当て面の接触が解除される。前サイド規制板１１は、バネ３５によって幅方向外側である矢印Ｌ５方向に移動する。前サイド規制スライダ２１が図６（ｂ）に示す状態から、図６（ａ）に示す矢印Ａ２方向に回転すると、前サイド規制スライダ２１のリブ２１ａ，２１ｂ，２１ｃ，２１ｄによって前サイド規制板１１のリブ１ａ，１ｂ，１ｃ，１ｄが押圧される。これにより、前サイド規制板１１は、バネ３５の付勢力に抗して幅方向内側である矢印Ａ５方向に移動する。なお、後サイド規制板１２及び後サイド規制スライダ２２は、前サイド規制板１１及び前サイド規制スライダ２１と同様の構成を有するため説明は省略する。
【００２２】
［第２連動部］
次に、図７を用いて、連動ユニット７０の一部を構成し、スライダリンク３２及び後端規制板１３を連動させる第２連動部３３についての説明をする。図７（ａ）は、切換えレバー３１がＡ４サイズ位置に設定される際の第２連動部３３の動作を示す斜視図である。図７（ｂ）は、切換えレバー３１がレターサイズ位置に設定される際の第２連動部３３の動作を示す斜視図である。
【００２３】
第２連動部３３は、図７（ａ）（ｂ）に示すように、シート給送方向と平行な方向（すなわち矢印Ａ７，Ｌ７方向）に移動可能に後側板２に支持されており、スライダリンク３２の端部と摺動可能に接続される接続部３３ａを有している。そして、第２連動部には、ラック部３３ｂが形成されており、後端規制板１３には、ラック部３３ｂに噛合するギヤ部１３ｂが形成されている。後端規制板１３は、Ａ４サイズのシートのシート給送方向における下流端に対向する第２面としての規制面１３ｃと、レターサイズのシートのシート給送方向における下流端に対向する第１面としての規制面１３ｄと、を有している。規制面１３ｃ，１３ｄは、上下方向から視て互いに交差するように形成されている。そして、後端規制板１３は、図７（ａ）に示す第２位置において規制面１３ｃによってＡ４サイズのシートの後端の位置を規制し、図７（ｂ）に示す第１位置において規制面１３ｄによってレターサイズのシートの後端の位置を規制する。
【００２４】
図７（ａ）に示すように、スライダリンク３２が矢印Ａ３方向に回転すると、第２連動部３３は矢印Ａ７方向に移動し、ラック部３３ｂとギヤ部１３ｂとの噛合によって、後端規制板１３が矢印Ａ８方向に回動する。また、図７（ｂ）に示すように、スライダリンク３２が矢印Ｌ３方向に回転すると、第２連動部３３は矢印Ｌ７方向に移動し、ラック部３３ｂとギヤ部１３ｂとの噛合によって、後端規制板１３が矢印Ｌ８方向に回動する。
【００２５】
［後端規制板の位置決め］
次に、後端規制板１３の位置決め構成について図８を用いて詳しく説明する。図８（ａ）は、切換えレバー３１がＡ４サイズ位置に位置する際の各規制板を示す斜視図である。図８（ｂ）は、切換えレバー３１がレターサイズ位置に位置する際の各規制板を示す斜視図である。図８（ｃ）は、互いに近づく方向へ移動する前サイド規制板１１及び後サイド規制板１２を示す斜視図である。
【００２６】
図８（ａ）に示すように、支持部３４には、後端規制板１３の上部に当接可能に配置される移動規制手段としての位置決め部３４ａが設けられている。位置決め部３４ａは、支持部３４から幅方向に突出しており、第２位置に位置する後端規制板１３の規制面１３ｃと反対側に形成される被当接面１３ｅに僅かに隙間を空けて対向している。例えば、ユーザによって引き出しユニット１０３にシートがセットされる際に、シートによって規制面１３ｃが押圧されると、後端規制板１３は矢印Ａ８方向（図７（ａ）参照）に移動しようとする。しかしながら、後端規制板１３は、被当接面１３ｅが位置決め部３４ａに突き当たることによって第１位置に向かう方向とは反対の方向（すなわち矢印Ａ８方向）への移動が規制され、位置決めされる。
【００２７】
また、図８（ｂ）に示すように、第１位置に位置する後端規制板１３の規制面１３ｄがシートによって押圧されると、後端規制板１３は矢印Ａ８方向（図７（ａ）参照）に移動しようとする。この時、もし後端規制板１３が矢印Ａ８方向に移動すると、第２連動部３３及び第１連動部７１によって前サイド規制板１１及び後サイド規制板１２は互いに近づく方向に移動する。
【００２８】
より具体的には、図７（ａ）に示すように、後端規制板１３の矢印Ａ８方向への移動に伴って、第２連動部３３は矢印Ａ７方向に移動する。すると、図８（ｃ）に示すように、スライダリンク３２が矢印Ａ３方向に回転し、前サイド規制スライダ２１及び後サイド規制スライダ２２によって、前サイド規制板１１及び後サイド規制板１２はそれぞれ矢印Ａ５，Ａ６方向に移動する。すなわち、後端規制板１３の規制面１３ｄが押圧されることで、前サイド規制板１１及び後サイド規制板１２がシートの幅方向における中央に近づくように移動しようとする。
【００２９】
図８（ｂ）に示すように切換えレバー３１がレターサイズ位置に設定されている際には、通常、ユーザはレターサイズのシートをセットする。そして、シートをセットする過程でレターサイズのシートの後端によって後端規制板１３の規制面１３ｄが押圧された場合、上述したように前サイド規制板１１及び後サイド規制板１２は幅方向において互いに近づくように移動しようとする。しかしながら、前サイド規制板１１と後サイド規制板１２との間隔は、レターサイズのシートの幅となっており、前サイド規制板１１及び後サイド規制板１２が互いに近づこうとしても間にシートがあるために移動することができない。
【００３０】
以上のように、本実施の形態では、後端規制板１３が図８（ａ）に示すように第２位置に位置する際には、位置決め部３４ａによって位置決めされる。これにより、後端規制板１３に第１位置に向かう方向とは反対方向の外力が加わったとしても後端規制板１３は位置決め部３４ａに突き当たって移動規制されるので、後端規制板１３を精度良く位置決めすることができる。
【００３１】
また、後端規制板１３が図８（ｂ）に示すように第１位置に位置する状態で後端規制板１３に第１位置に向かう方向とは反対方向の外力が加わった場合、前サイド規制板１１及び後サイド規制板１２が互いに近づく方向に移動しようとする。しかしながら、前サイド規制板１１と後サイド規制板１２との間のシートに干渉して前サイド規制板１１、後サイド規制板１２及び後端規制板１３が移動できないため、後端規制板１３を精度良く位置決めすることができる。
【００３２】
なお、本実施の形態では、位置決め部３４ａと第２位置に位置する後端規制板１３の被当接面１３ｅとの間に僅かに隙間を設けたが、この隙間を設けなくてもよい。すなわち、後端規制板１３に外力が作用していない状態で、位置決め部３４ａと後端規制板１３の被当接面１３ｅとが当接していてもよい。
【００３３】
また、本実施の形態では、後端規制板１３は上下方向に延びる軸中心１３ａを中心に回動可能に構成しているが、これに限定されない。すなわち、後端規制板１３は、回動する構成に限らず、例えばスライド移動する構成でも良い。また、連動ユニット７０の構成についても限定されない。
【００３４】
また、本実施の形態では、位置決め部３４ａを、後端規制板１３を回動可能に支持する支持部３４に設けたが、これに限定されず、例えば左側板３が位置決め部３４ａを兼ねてもよい。
【００３５】
また、本実施の形態は、Ａ４サイズとレターサイズの２種類のサイズのシートの位置を規制可能に構成したが、引き出しユニット１０３にセット可能なシートのサイズや種類数は限定されない。例えば、引き出しユニット１０３をＡ４サイズ及びレターサイズに加えて、リーガルサイズのシートをセット可能に構成してもよい。
【００３６】
この場合、例えば切換えレバー３１をＡ４サイズ位置及びレターサイズ位置とは異なるリーガルサイズ位置に移動可能に構成し、リーガルサイズ位置を、レターサイズ位置を挟んでＡ４サイズ位置とは反対側に設ける。切換えレバー３１がリーガルサイズ位置にセットされると、前サイド規制板１１と後サイド規制板１２との間隔はレターサイズと同じ約２１６ｍｍに設定される。そして、後端規制板１３は、図４（ｂ）に示す位置より更に反時計回りに回動し、被当接面１３ｅがシートの側端と平行になるように設定される。これにより、リーガルサイズのシートをセットする際に後端規制板１３が邪魔になることは無い。また、左側板３と右側板４との間隔を、リーガルサイズのシートの長さである訳３５６ｍｍに設定すると好適である。
【００３７】
また、既述のいずれの形態においても、電子写真方式のプリンタ１００を用いて説明したが、本発明はこれに限定されない。例えば、ノズルからインク液を吐出させることでシートに画像を形成するインクジェット方式の画像形成装置にも本発明を適用することが可能である。
【符号の説明】
【００３８】
１１：第１規制部材、第１規制手段（前サイド規制板）／１２：第２規制部材、第１規制手段（後サイド規制板）／１３：後端規制手段（後端規制板）／１３ａ：回動軸（軸中心）／１３ｂ：ギヤ部／１３ｃ：第２面（規制面）／１３ｄ：第１面（規制面）／１３ｅ：被当接面／３１：操作部（切換えレバー）／３３：第２連動部／３３ｂ：ラック部／３４：支持部／３４ａ：移動規制手段（位置決め部）／４４：本体部／６０：画像形成手段（画像形成ユニット）／６１：積載部／７０：連動手段（連動ユニット）／７１：第１連動部／１００：画像形成装置（プリンタ）／１０２：シート支持装置／１０３：シート支持手段（引き出しユニット）
【図１】
2018127311.tif 000003
【図２】
2018127311.tif 000004
【図３】
2018127311.tif 000005
【図４】
2018127311.tif 000006
【図５】
2018127311.tif 000007
【図６】
2018127311.tif 000008
【図７】
2018127311.tif 000009
【図８】
2018127311.tif 000010